(57)【特許請求の範囲】
【請求項１】
インキを収納するインキパンと、
インキパン内に侵入するとともに、印刷版胴にインキパンのインキを供給するファニッシャーロールと、を備え、
インキパン内に、ファニッシャーロールの両側面に当接して当該両側面のインキを掻く一対の側方スキージを設け、
前記ファニッシャーロールの外周に中央環状溝が形成され、
前記インキパン内に、当該ファニッシャーロールの外周に設けられた中央環状溝内に侵入して当該中央環状溝内のインキを掻く中央スキージをさらに設けたことを特徴とするインキパンとファニッシャーロールの組合体。
【請求項２】
前記一対の側方スキージは、その全体がインキパンのインキ内に浸されていることを特徴とする請求項１に記載のインキパンとファニッシャーロールの組合体。
【請求項３】
前記中央スキージは、その全体がインキパンのインキ内に浸されていることを特徴とする請求項１または２に記載のインキパンとファニッシャーロールの組合体。
【請求項４】
インキを収納するインキパンと、
インキパン内に侵入するとともに、印刷版胴にインキパンのインキを供給するファニッシャーロールと、を備え、
インキパン内に、ファニッシャーロールの両側面に当接して当該両側面のインキを掻く一対の側方スキージを設け、
前記一対の側方スキージは、その全体がインキパンのインキ内に浸されていることを特徴とするインキパンとファニッシャーロールの組合体。
【請求項５】
前記一対の側方スキージのうちファニッシャーロールの両側面に当接する当接部は、ファニッシャーロールの軸線方向に対して傾斜するよう両側面に向って延びていることを特徴とする請求項１乃至４のいずれか一項に記載のインキパンとファニッシャーロールの組合体。
【請求項６】
被印刷物に対してインキを塗布する装置において、
被印刷物を支持して搬送する搬送ローラーと、
搬送ローラーにより搬送される被印刷物に対してインキを塗布するインキ塗布手段と、を備え、
インキ塗布手段は、
インキを被印刷物に塗布する印刷版胴と、
インキを印刷版胴に供給するインキパンとファニッシャーロールの組合体であって、請求項１乃至５のいずれかに記載のインキパンとファニッシャーロールの組合体と、を有することを特徴とするインキ塗布装置。
【請求項７】
被印刷物に対してインキを塗布する方法において、
被印刷物を準備する工程と、
搬送ローラーにより被印刷物を搬送する工程と、
インキパンのインキをファニッシャーロールにより印刷版胴に供給する工程と、
印刷版胴によりインキを被印刷物に塗布する工程と、を備え、
インキパンのインキをファニッシャーロールにより印刷版胴に供給する工程において、ファニッシャーロールの両側面に付着したインキが、当該ファニッシャーロールの両側面に当接するようインキパン内に設けられた一対の側方スキージにより掻かれ、
前記ファニッシャーロールの外周には、中央環状溝が形成されており、
インキパンのインキをファニッシャーロールにより印刷版胴に供給する工程において、ファニッシャーロールの中央環状溝内のインキが、当該ファニッシャーロールの中央環状溝内に侵入するようインキパン内に設けられた中央スキージにより掻かれることを特徴とするインキ塗布方法。
【発明の詳細な説明】
【技術分野】
【０００１】
本発明は、インキパンと、インキパン内のインキを印刷版胴に供給するファニッシャーロールとを備えたインキパンとファニッシャーロールの組合体に関する。また本発明は、当該インキパンとファニッシャーロールの組合体を有するインキ塗布装置、およびインキ塗布方法に関する。
【背景技術】
【０００２】
塗布装置において、一般に、インキタンクなどから供給されるインキがインキパンに貯留され、インキパン内に貯留されているインキがファニッシャーロールを介して印刷版胴に供給される。
【０００３】
近年、印刷の高速化により印刷版胴の回転速度が大きくなり、このため印刷版胴に付着したインキが飛散するという問題が生じている。また、印刷版胴にインキを付着させた状態で放置すると、付着したインキが乾燥して印刷版胴に固着する。印刷版胴にインキが固着した場合、印刷版胴の版づまりなどが生じ、これによって印刷品質が低下することが考えられる。
【０００４】
このような問題を解決するため、例えば特許文献１において、印刷版胴の側面に摺接するようドクターブレードを設け、このドクターブレードにより印刷版胴に付着したインキを掻く構造のものが提案されている。また特許文献２において、ファニッシャーロールと印刷版胴の間に介在されているアニロックスロールにドクターブレードを設け、このドクターブレードによりアニロックスロールに付着したインキを掻く構造のものが提案されている。
【先行技術文献】
【特許文献】
【０００５】
【特許文献１】特開２００６−２７２７１０号公報
【特許文献２】特開昭６１−６１８５７号公報
【発明の概要】
【発明が解決しようとする課題】
【０００６】
ところで、インキパン内のインキに浸されているファニッシャーロールにおいても、その側面にインキが固着する場合がある。ファニッシャーロールの側面に多量のインキが固着すると、固着したインキによりインキパン内のインキの対流が阻害される虞がある。従って、印刷品質を一定に保つためには、印刷版胴に付着したインキだけでなく、ファニッシャーロールに付着したインキを掻くことも必要となる。
【０００７】
本発明は、このような点を考慮してなされたものであり、簡易な構成により、ファニッシャーロールに付着したインキを掻くことができるインキパンとファニッシャーロールの組合体を提供することを目的とする。
【課題を解決するための手段】
【０００８】
本発明は、インキを収納するインキパンと、インキパン内に侵入するとともに、印刷版胴にインキパンのインキを供給するファニッシャーロールと、を備え、インキパン内に、ファニッシャーロールの両側面に当接して当該両側面のインキを掻く一対の側方スキージを設けたことを特徴とするインキパンとファニッシャーロールの組合体である。
【０００９】
本発明によるインキパンとファニッシャーロールの組合体において、前記ファニッシャーロールの外周に中央環状溝が形成されていてもよく、かつ前記インキパン内に、当該ファニッシャーロールの外周に設けられた中央環状溝内に侵入して当該中央環状溝内のインキを掻く中央スキージをさらに設けてもよい。
【００１０】
本発明によるインキパンとファニッシャーロールの組合体において、前記一対の側方スキージのうちファニッシャーロールの両側面に当接する当接部は、ファニッシャーロールの軸線方向に対して傾斜するよう両側面に向って延びていてもよい。
【００１１】
本発明によるインキパンとファニッシャーロールの組合体において、前記一対の側方スキージは、その全体がインキパンのインキ内に浸されていてもよい。
【００１２】
本発明によるインキパンとファニッシャーロールの組合体において、前記中央スキージは、その全体がインキパンのインキ内に浸されていてもよい。
【００１３】
本発明は、被印刷物に対してインキを塗布する装置において、被印刷物を支持して搬送する搬送ローラーと、搬送ローラーにより搬送される被印刷物に対してインキを塗布するインキ塗布手段と、を備え、インキ塗布手段は、インキを被印刷物に塗布する印刷版胴と、インキを印刷版胴に供給するインキパンとファニッシャーロールの組合体であって、上記記載のインキパンとファニッシャーロールの組合体と、を有することを特徴とするインキ塗布装置である。
【００１４】
本発明は、被印刷物に対してインキを塗布する方法において、被印刷物を準備する工程と、搬送ローラーにより被印刷物を搬送する工程と、インキパンのインキをファニッシャーロールにより印刷版胴に供給する工程と、印刷版胴によりインキを被印刷物に塗布する工程と、を備え、インキパンのインキをファニッシャーロールにより印刷版胴に供給する工程において、ファニッシャーロールの両側面に付着したインキが、当該ファニッシャーロールの両側面に当接するようインキパン内に設けられた一対の側方スキージにより掻かれることを特徴とするインキ塗布方法である。
【００１５】
本発明によるインキ塗布方法において、前記ファニッシャーロールの外周に中央環状溝が形成されていてもよく、かつインキパンのインキをファニッシャーロールにより印刷版胴に供給する工程において、ファニッシャーロールの中央環状溝内のインキが、当該ファニッシャーロールの中央環状溝内に侵入するようインキパン内に設けられた中央スキージにより掻かれてもよい。
【発明の効果】
【００１６】
本発明によるインキパンとファニッシャーロールの組合体は、インキを収納するインキパンと、インキパン内に侵入するとともに、印刷版胴にインキを供給するファニッシャーロールとを備え、インキパン内に、ファニッシャーロールの両側面に当接して当該両側面のインキを掻く一対の側方スキージが設けられている。このため、ファニッシャーロールが一回転するごとに、一対の側方スキージにより、ファニッシャーロールの両側面に付着したインキを掻くことができる。このことにより、ファニッシャーロールの両側面にインキが固着するのを防ぐことができる。
【図面の簡単な説明】
【００１７】
【図１】図１は、本発明の実施の第１の形態において、インキパンとファニッシャーロールの組合体を示す側面図である。
【図２】図２は、本発明の実施の第１の形態におけるインキパンを示す斜視図である。
【図３】図３は、本発明の実施の第１の形態において、一対の側方スキージがファニッシャーロールの両側面に当接する様子を示す正面図である。
【図４】図４（ａ）は、図１に示すインキパンとファニッシャーロールの組合体をIV―IV方向から見た場合を示すとともにファニッシャーロールが停止している状態を示す縦断面図であり、図４（ｂ）は、図４（ａ）に示すファニッシャーロールが回転している状態の側方スキージを示す縦断面図である。
【図５】図５は、本発明の実施の第２の形態において、インキパンとファニッシャーロールの組合体を示す側面図である。
【図６】図６は、本発明の実施の第２の形態におけるインキパンを示す斜視図である。
【図７】図７は、本発明の実施の第２の形態において、ファニッシャーロールの中央環状溝内に侵入するよう設けられた中央スキージを示す正面図である。
【図８】図８は、本発明の実施の第３の形態において、インキパンとファニッシャーロールの組合体を示す側面図である。
【図９】図９は、本発明の実施の形態におけるインキ塗布装置を示す図である。
【発明を実施するための形態】
【００１８】
第１の実施の形態
以下、図１乃至図４および図９を参照して、本発明の第１の実施の形態について説明する。
【００１９】
はじめに、インキパンとファニッシャーロールの組合体１０が組み込まれたインキ塗布装置４０全体について説明する。図１および図９に示すように、塗布装置４０は、被印刷物４１を支持して搬送する搬送ローラー４２と、搬送ローラー４２により搬送される被印刷物４１に対してインキ３０を塗布するインキ塗布手段４３とを備えている。このうちインキ塗布手段４３は、被印刷物４１にインキ３０を塗布する印刷版胴３３と、印刷版胴３３に供給されるインキ３０を収納するインキパン１２と、インキパン１２内に侵入するとともに、インキパン１２のインキ３０を印刷版胴３３側へ供給するファニッシャーロール１１とを備えている。
このうち、インキ３０を収納するインキパン１２と、インキパン１２のインキ３０内に浸されてインキ３０を印刷版胴３３側へ供給するファニッシャーロール１１とによってインキパンとファニッシャーロールの組合体１０が構成される。
【００２０】
次に、インキパンとファニッシャーロールの組合体１０について説明する。図１および図９に示すように、インキパンとファニッシャーロールの組合体１０は、上述のようにインキタンク４４からインキ供給管３１を介して供給されるインキ３０を収納するインキパン１２と、外周１７に中央環状溝１７ａを有し、インキパン１２内に侵入するとともに、印刷版胴３３にインキパン１２のインキ３０を供給するファニッシャーロール１１とを備えている。図１に示すように、ファニッシャーロール１１の一部はインキパン１２内のインキ３０内に浸されている。また図１に示すように、供給管３１は、その出口部分３１ａがインキパン１２の本体部１３のインキ３０内に侵入するよう設けられており、これによって、供給管３１内のインキ３０が外気と接触するのが防がれている。
【００２１】
また、図１および図２に示すように、インキパン１２内には、ファニッシャーロール１１の両側面１８に当接して両側面１８に付着したインキ３０を掻く一対の側方スキージ２１が設けられている。各側方スキージ２１は、図１および図２に示すように、インキパン１２の底面１２ａに固定具、例えばボルト２２を介して固定される固定部２１ｂと、固定部２１ｂから上方に延び、ファニッシャーロール１１の両側面１８に当接する本体部２１ａとからなっている。本実施の形態において、各側方スキージ２１は、図１に示すように、本体部２１ａがインキ３０の液面３０ａから上方に突出するよう設けられている。
【００２２】
また図１および図２に示すように、インキパン１２内は堰１５によって本体部１３と排出部１４とに区画されている。このうち本体部１３にはファニッシャーロール１１が浸されており、また排出部１４は、本体部１３から堰１５の上端１５ａを越えて流入するインキ３０を受け入れることができる。このようにインキパン１２内に堰１５を設けることにより、本体部１３に貯留されるインキ３０の液面３０ａの高さを、常に堰１５の上端１５ａと同一の高さに保つことができる。堰１５の上端１５ａを越えて排出部１４に流入したインキ３０は、排出管を通ってインキタンク４４に戻される。
【００２３】
次に図１乃至図４を参照して、一対の側方スキージ２１について詳述する。図３に示すように、一対の側方スキージ２１の本体部２１ａは、ファニッシャーロール１１の両側面１８に当接するようインキパン１２に設けられている。この場合、ファニッシャーロール１１が停止している状態の図４（ａ）に示すように、一対の側方スキージ２１の本体部２１ａは、ファニッシャーロール１１の軸線方向に対して傾斜するようファニッシャーロール１１の両側面１８に向って延びている。ここで、ファニッシャーロール１１の軸線と平行な線Ｘと、一対の側方スキージ２１の本体部２１ａとがなす角θは、ファニッシャーロール１１の回転速度や側方スキージ２１の材料に応じて適宜設定されるが、好ましくは０＜θ＜３０の範囲内となっており、例えば５度となっている。このように、一対の側方スキージ２１の本体部２１ａが、ファニッシャーロール１１の軸線方向に対して傾斜するようファニッシャーロール１１の両側面１８に向って延びていることにより、図４（ｂ）の矢印Ｌ方向にファニッシャーロール１１が回転した場合、一対の側方スキージ２１の本体部２１ａが矢印Ｌ方向に向って傾斜することになるため、一対の側方スキージ２１の本体部２１ａからファニッシャーロール１１の両側面１８に与える衝撃を和らげることができる
【００２４】
ところで後述するように、一対の側方スキージ２１の本体部２１ａは比較的に薄く、例えばその厚さが０．２ｍｍとなっている。このため図４（ｂ）に示すように、ファニッシャーロール１１が矢印Ｌ方向に回転している間、一対の側方スキージ２１の本体部２１ａのうちファニッシャーロール１１の両側面１８に当接する当接部２１ｃは、ファニッシャーロール１１の回転に応じて反ることになる。このことにより、ファニッシャーロール１１の回転中、一対の側方スキージ２１の本体部２１ａがファニッシャーロール１１の両側面１８に与える衝撃をさらに和らげることができる。
【００２５】
ファニッシャーロール１１の材料は特に限定されないが、例えばステンレス鋼によりファニッシャーロール１１を形成することができる。ファニッシャーロール１１の表面には、塗布装置の用途に応じて、めっきなどの表面処理が適宜ほどこされていてもよい。また、一対の側方スキージ２１の材料も特に限定されず、例えば、ステンレス鋼、ＰＥＴ材料（ポリエチレンテレフタレート）、その他プラスティック材料などを用いることができる。
【００２６】
また、ファニッシャーロール１１の寸法は特に限定されないが、例えば、ファニッシャーロール１１の直径が８２ｍｍ、厚さが６ｍｍ、中央環状溝１７ａの幅が３ｍｍ、深さが２ｍｍとなっている。
インキパン１２およびインキパン１２に設けられている一対の側方スキージ２１の寸法は、ファニッシャーロールの寸法に応じて適宜設定されるが、例えば、インキパン１２の幅ｓ１が８０ｍｍ、本体部１３の長さｓ２が７５ｍｍ、排出部１４の長さｓ３が１５ｍｍ、堰１５の高さｓ４が２０ｍｍ、側方スキージ２１の本体部２１ａの長さｓ５が２０ｍｍ、幅ｓ６が５ｍｍとなっている。
【００２７】
さらにまた、インキ３０の種類は特に限定されず、インキ３０として、塗布装置で用いられる公知のインキを挙げることができるが、乾燥・固化し易いインキは、本願発明の効果を発揮させるという点で特に好ましい。例えば、公知の染料又は顔料をバインダー樹脂とともに溶剤又は分散剤中に溶解又は分散させて得られる着色インキ等を挙げることができる。
【００２８】
顔料又は染料としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等が挙げられる。これらは単独又は２種以上を混合して使用できる。また、シリカ等のフィラー、有機ビーズ等の体質顔料、中和剤、界面活性剤等をさらに含んでもよい。
【００２９】
バインダー樹脂としては、例えば、アクリル系樹脂、スチレン系樹脂、ポリエステル系樹脂、ウレタン系樹脂、アクリルウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコン系樹脂、繊維素誘導体、ゴム系樹脂等が挙げられる。これらの樹脂は、単独又は２種以上を混合して使用してもよい。
【００３０】
上述のインキ３０において、溶剤の揮発やバインダー樹脂同士の結合によりインキが乾燥・固化してしまうと、溶剤や分散剤を追加したとしても、乾燥・固化したインキを再溶解させるのは容易ではない。このため、ファニッシャーロール１１の両側面１８に付着したインキ３０が乾燥・固化してファニッシャーロール１１に固着すると、固着したインキ３０を取り除くために多大な労力を要する。このためインキパンとファニッシャーロールの組合体１０においては、インキ３０がファニッシャーロール１１の両側面１８に固着しないよう、ファニッシャーロール１１が一回転するごとに、両側面１８に付着したインキ３０を掻くことが重要となる。
【００３１】
次に、このような構成からなる本実施の形態の作用について説明する。ここでは、インキ塗布装置４０により被印刷物４１に対してインキ３０を塗布する作用について説明するとともに、インキパン１２内のインキ３０がファニッシャーロール１１を介して印刷版胴３３に供給されている間、インキパン１２内に設けられた一対の側方スキージ２１により、ファニッシャーロール１１の両側面１８に付着したインキ３０が掻かれる作用について説明する。
【００３２】
はじめに、図９に示すように、インキ塗布装置４０によりインキ３０が塗布される被印刷物４１を準備する。次に、被印刷物４１がインキ塗布手段４３の印刷版胴３３に到達するまで、搬送ローラー４２により被印刷物４１を搬送する。
【００３３】
一方、図１において矢印Ａで示すように、供給管３１を介してインキ３０がインキタンク４４からインキパン１２の本体部１３に供給される。ここでインキ３０の１分あたりの流量は、ファニッシャーロール１１を介して印刷版胴３３に１分あたりに供給されるインキ３０の量よりも多くなるよう設定されており、例えば７０ｍｌ／ｍｉｎとなっている。
【００３４】
インキパン１２の本体部１３に送られてきたインキ３０は、図１に示すように、本体部１３内に貯留される。この本体部１３に貯留されたインキ３０内に、回転するファニッシャーロール１１が浸されており、このファニッシャーロール１１を介してインキ３０が印刷版胴３３に供給される。そして図９に示すように、印刷版胴３３によりインキ３０が被印刷物４１に塗布される。ここで前述のように、本体部１３に送られてくるインキ３０の１分あたりの流量は、ファニッシャーロール１１を介して印刷版胴３３に１分あたりに供給されるインキ３０の量よりも多くなるよう設定されており、このため、本体部１３に貯留されているインキ３０の一部は、本体部１３の堰１５の上端１５ａを越えて排出部１４に向って流出する。この場合、本体部１３内に貯留されるインキ３０の液面３０ａの高さは、堰１５ａの上端１５ｂの高さにより決定される。このため、本体部１３内に貯留されるインキ３０の液面３０ａの高さが、常に、堰１５ａの上端１５ｂと同一の高さに保たれる。
【００３５】
前述のように、本体部１３内のインキ３０には回転するファニッシャーロール１１が浸されており、回転するファニッシャーロール１１によって、本体部１３内のインキ３０は本体部１３内で対流している。このことにより、本体部１３内のインキ３０の表面が乾燥したり固着することが防がれている。
【００３６】
この間、ファニッシャーロール１１の両側面１８には、インキパン１２の本体部１３に設けられた一対の側方スキージ２１の本体部２１ａが当接しており、このため、ファニッシャーロール１１が一回転するごとに、ファニッシャーロール１１の両側面１８に付着したインキ３０が一対の側方スキージ２１の本体部２１ａにより掻かれる。このことにより、ファニッシャーロール１１の両側面１８に付着したインキ３０が乾燥して固着するのを防ぐことができる。また、両側面１８に固着したインキ３０によりインキパン１２の本体部１３におけるインキ３０の対流が阻害されるのを防ぐことができる。
【００３７】
以上説明したように、本実施の形態によれば、インキパンとファニッシャーロールの組合体１０は、インキ３０を収納するインキパン１２の本体部１３と、外周１７に中央環状溝１７ａを有し、インキパン１２の本体部１３のインキ３０内に浸されるとともに、印刷版胴３３にインキ３０を供給するファニッシャーロール１１とを備え、インキパン１２の本体部１３内に、ファニッシャーロール１１の両側面１８に当接して両側面１８に付着したインキ３０を掻く一対の側方スキージ２１が設けられている。このため、ファニッシャーロール１１が一回転するごとに、一対の側方スキージ２１により、ファニッシャーロール１１の両側面１８に付着したインキ３０を掻くことができる。このことにより、簡易な構成により、ファニッシャーロール１１の両側面１８にインキ３０が固着するのを防ぐことができる。
【００３８】
また本実施の形態によれば、一対の側方スキージ２１の本体部２１ａは、ファニッシャーロール１１の軸線方向に対して傾斜するようファニッシャーロール１１の両側面１８に向って延びている。このため、ファニッシャーロール１１が回転している間、一対の側方スキージ２１の本体部２１ａがファニッシャーロール１１の両側面１８に与える衝撃を和らげることができる。このことにより、ファニッシャーロール１１および一対の側方スキージ２１の耐久性および信頼性を向上させることができる。
【００３９】
ところで、ファニッシャーロール１１の両側面１８にインキ３０が固着するのが防がれていない場合、ファニッシャーロール１１の両側面１８に固着して乾燥固化したインキ３０を基点として、固化前のインキ３０がファニッシャーロール１１の周囲に飛散することが考えられる。
これに対して本実施の形態によれば、前述のとおり、一対の側方スキージ２１により、ファニッシャーロール１１の両側面１８にインキ３０が固着して乾燥固化することが防がれている。このため、固化前のインキ３０が、ファニッシャーロール１１の両側面１８で乾燥固化したインキ３０を基点としてファニッシャーロール１１の周囲に飛散することはない。このことにより、ファニッシャーロール１１および印刷版胴３３の厚さが被印刷物の幅に比べて小さくなっている場合、例えばファニッシャーロール１１および印刷版胴３３の厚さがそれぞれ６ｍｍ、被印刷物４１の幅が例えば３００ｍｍとなっている場合であっても、ファニッシャーロール１１の両側面１８に付着したインキ３０が飛散して当該インキ３０が被印刷物に付着するのを防ぐことができる。
【００４０】
なお本実施の形態において、各側方スキージ２１がインキパン１２内に、その本体部２１ａがインキ３０の液面３０ａから上方に突出するよう設けられている例を示した。しかしながら、これに限られることはなく、各側方スキージ２１をインキパン１２内に、その全体が本体部１３のインキ３０内に浸されるよう設けてもよい。このことにより、各側方スキージ２１の表面に付着したインキ３０が乾燥するのを防ぐことができ、これによって、各側方スキージ２１の表面にインキ３０が固着するのを防ぐことができる。
また本実施の形態において、ファニッシャーロール１１の外周１７に中央環状溝１７ａが形成されている例を示した。しかしながら、一対の側方スキージ２１の形態から明らかなように、本実施の形態における作用効果は、ファニッシャーロール１１の外周１７に中央環状溝１７ａが形成されていない場合であっても実現される。
【００４１】
第２の実施の形態
次に図５乃至図７を参照して、本発明の第２の実施の形態について説明する。ここで図５は、本発明の実施の第２の形態において、インキパンとファニッシャーロールの組合体を示す側面図であり、図６は、本発明の実施の第２の形態におけるインキパンを示す斜視図であり、図７は、本発明の実施の第２の形態において、ファニッシャーロールの中央環状溝内に侵入するよう設けられた中央スキージを示す正面図である。
【００４２】
図５乃至図７に示す第２の実施の形態は、インキパン内に、ファニッシャーロールの外周に設けられた中央環状溝内に侵入して当該中央環状溝内のインキを掻く中央スキージをさらに設けた点が異なるのみであり、他の構成は、図１乃至図４および図９に示す第１の実施の形態と略同一である。図５乃至図７に示す第２の実施の形態において、図１乃至図４および図９に示す第１の実施の形態と同一部分には同一符号を付して詳細な説明は省略する。
【００４３】
図５に示すように、インキパン１２の本体部１３内に、ファニッシャーロール１１の外周１７に設けられた中央環状溝１７ａ内に侵入して中央環状溝１７ａ内のインキ３０を掻く中央スキージ２４が設けられている。中央スキージ２４は、図６および図７に示すように、インキパン１２の底面１２ａに固定具、例えばボルト２５を介して固定される固定部２４ｂと、固定部２４ｂから上方に向って延びる本体部２４ａと、本体部２４ａの上端から突出し、ファニッシャーロール１１の外周１７に設けられた中央環状溝１７ａ内に侵入する突出部２４ｃとからなっている。この場合、中央スキージ２４の突出部２４ｃの長さｓ９は、突出部２４ｃの先端がファニッシャーロール１１の中央環状溝１７ａの底面に当接しない程度の大きさとなっている。
【００４４】
なお本実施の形態において、図５に示すように、中央スキージ２４はインキパン内に、その全体が本体部１３のインキ３０内に浸されるよう設けられている。このことにより、中央スキージ２４の表面に付着したインキ３０が乾燥するのを防ぐことができ、これによって、中央スキージ２４の表面にインキ３０が固着するのを防ぐことができる。
【００４５】
本実施の形態において、中央スキージ２４の材料は特に限定されないが、例えば、ステンレス鋼、ＰＥＴ材料（ポリエチレンテフタレート）、その他プラスティック材料などを用いることができる。また、中央スキージ２４の寸法も特に限定されず、ファニッシャーロール１１の寸法などに応じて適宜設計される。例えば、中央スキージ２４の本体部２１ａの長さｓ７が３０ｍｍ、幅ｓ８が８ｍｍ、突出部２４ｃの長さｓ９が２ｍｍ、幅ｓ１０が２ｍｍとなっている。
【００４６】
次に、このような構成からなる本実施の形態の作用について説明する。ここでは、インキパン１２内のインキ３０がファニッシャーロール１１を介して印刷版胴３３に供給されている間、インキパン１２内に設けられた中央スキージ２４により、ファニッシャーロール１１の外周１７に設けられた中央環状溝１７ａ内のインキ３０を掻く作用について説明する。
【００４７】
回転するファニッシャーロール１１のうちの一部分が、インキパン１２の本体部１３に貯留されたインキ３０内から出るとき（図５に示す矢印Ｃのとき）、ファニッシャーロール１１の当該一部分の中央環状溝１７ａ内にはインキ３０が充填されている。その後、ファニッシャーロール１１の当該一部分が印刷版胴３３と接するとき（図５に示す矢印Ｄのとき）、当該一部分の中央環状溝１７ａ内に充填されているインキ３０が印刷版胴３３に供給される。このとき、当該一部分の中央環状溝１７ａ内に充填されているインキ３０が完全には印刷版胴３３に供給されず、いくらかのインキ３０が当該一部分の中央環状溝１７ａ内に残留していることがある。
【００４８】
その後、ファニッシャーロール１１の当該一部分が、インキパン１２内に設けられた中央スキージ２４の近傍に来たとき（図５に示す矢印Ｅのとき）、当該一部分の中央環状溝１７ａ内に残留しているインキ３０が、中央環状溝１７ａ内に侵入する中央スキージ２４の突出部２４ｃにより掻きとられる。その後、ファニッシャーロール１１の当該一部分がインキパン１２のインキ３０内に浸されている間、ファニッシャーロール１１の当該一部分の中央環状溝１７ａ内にインキ３０が新たに充填される。このように新たなインキ３０が充填された後、ファニッシャーロール１１のうちの当該一部分が、インキパン１２の本体部１３に貯留されたインキ３０内から再び出ていく（図５に示す矢印Ｃのとき）。
【００４９】
このように本実施の形態によれば、インキパン１２の本体部１３内に、ファニッシャーロール１１の外周１７に設けられた中央環状溝１７ａ内に侵入して中央環状溝１７ａ内のインキ３０を掻く中央スキージ２４が設けられている。このため、ファニッシャーロール１１の中央環状溝１７ａ内に充填されていたインキ３０のうち印刷版胴３３に供給されることなく残留していたインキ３０を、中央スキージ２４により掻きとることができる。このことにより、インキパン１２からファニッシャーロール１１に常に新たなインキ３０を供給することができ、このことにより、印刷品質を常に一定に保つことができる。
【００５０】
なお本実施の形態において、中央スキージ２４が、その全体がインキパン１２の本体部１３のインキ３０内に浸されるよう設けられている例を示した。しかしながら、これに限られることはなく、例えば、中央スキージ２４の一部がインキパン１２の本体部１３内に貯留されているインキ３０の液面３０ａから上方に突出するよう、中央スキージ２４をインキパン１２内に設けてもよい。
【００５１】
なお上記各実施の形態において、一対の側方スキージ２１および中央スキージ２４が、インキパン１２の底面１２ａに固定具により固定される例を示した。しかしながら、一対の側方スキージ２１および中央スキージ２４を固定する対象がインキパン１２の底面１２ａに限られることはなく、各側方スキージ２１および中央スキージ２４を、インキパン１２の側面または堰１５などに固定してもよい。また、一対の側方スキージ２１および中央スキージ２４を固定する対象だけでなく、一対の側方スキージ２１および中央スキージ２４を固定する位置も特に限定されることはなく、ファニッシャーロール１１、インキパン１２、各側方スキージ２１および中央スキージ２４の寸法などに応じて、各側方スキージ２１および中央スキージ２４を、インキパン１２内の所望の位置に設けることができる。
【００５２】
第３の実施の形態
次に図８を参照して、本発明の第３の実施の形態について説明する。ここで図８は、本発明の実施の第３の形態において、インキパンとファニッシャーロールの組合体を示す側面図である。
【００５３】
図８に示す第３の実施の形態は、インキパン１２内に設けられた一対の側方スキージおよび中央スキージの配置が異なるのみであり、他の構成は、図１乃至図４および図９に示す第１の実施の形態、および図５乃至図７に示す第２の実施の形態と略同一である。図８に示す第３の実施の形態において、図１乃至図４および図９に示す第１の実施の形態、および図５乃至図７に示す第２の実施の形態と同一部分には同一符号を付して詳細な説明は省略する。
【００５４】
図８に示すように、一対の側方スキージ２１はインキパン１２の底面１２ａに、その全体がインキパン１２の本体部１３のインキ３０内に浸されるよう設けられている。このことにより、各側方スキージ２１の表面に付着したインキ３０が乾燥するのを防ぐことができ、これによって、各側方スキージ２１の表面にインキ３０が固着するのを防ぐことができる。
【００５５】
また図８に示すように、一対の側方スキージ２１はインキパン１２の底面１２ａに、本体部１３のうち回転するファニッシャーロール１１の出口側（図８において右側）においてファニッシャーロール１１の両側面１８に当接するよう設けられている。このことにより、ファニッシャーロール１１がインキパン１２のインキ３０から出るときにファニッシャーロール１１の両側面１８に付着しているインキ３０の量をより少なくすることができる。これによって、ファニッシャーロール１１に付着したインキ３０がファニッシャーロール１１の周囲に飛散するのを防ぐことができる。このため、ファニッシャーロール１１および印刷版胴３３の厚さが被印刷物の幅に比べて小さくなっている場合、例えばファニッシャーロール１１および印刷版胴３３の厚さがそれぞれ６ｍｍ、被印刷物４１の幅が例えば３００ｍｍとなっている場合であっても、ファニッシャーロール１１の両側面１８に付着したインキ３０が飛散して当該インキ３０が被印刷物に付着するのを防ぐことができる。
【００５６】
図８に示すように、中央スキージ２４はインキパン１２の底面１２ａに、その全体がインキパン１２の本体部１３のインキ３０内に浸されるよう設けられている。また中央スキージ２４はインキパン１２の底面１２ａに、本体部１３のうち回転するファニッシャーロール１１の入口側（図８において左側）においてファニッシャーロール１１の中央環状溝１７ａ内に侵入するよう設けられている。このことにより、ファニッシャーロール１１の中央環状溝１７ａに本体部１３内の新たなインキ３０を供給するための時間をより長く確保することができる。
【００５７】
なお上記各実施の形態において、ファニッシャーロール１１から印刷版胴３３に直接的にインキ３０が供給される例を示した。しかしながら、これに限られることはなく、ファニッシャーロール１１と印刷版胴３３との間に１つまたは２つ以上のサブロール（図示せず）を設け、ファニッシャーロール１１から印刷版胴３３にこれらのサブロールを介してインキ３０を供給してもよい。
【００５８】
また上記各実施の形態において、インキ塗布装置４０は、インキパンとファニッシャーロールの組合体１０と、インキ供給管３１と、インキ排出管３２と、インキタンク４４とを有するインキ循環経路内の任意の位置に、循環中に生じるおそれのあるインキ固化物や、被印刷物４１、印刷版胴３３およびファニッシャーロール１１などを介してインキ循環経路内に紛れ込んだ屑などを除去するためのフィルターを備えていてもよい。例えば図９に示すように、インキタンク４４近傍に、乾燥したインキ３０のクズ、木クズなどの異物を除去するゴミ取りフィルター４５を設けることができる。ゴミ取りフィルター４５の具体的な構成は特に限定されず、例えば、ザル、網、工業用ストッキングなどを用いてゴミ取りフィルター４５を構成することができる。このようなゴミ取りフィルター４５により、好ましくは、インキ循環経路内に紛れ込んだ屑のうち０．１ｍｍ以上の寸法を有する屑が除去される。
【符号の説明】
【００５９】
１０    インキパンとファニッシャーロールの組合体
１１    ファニッシャーロール
１２    インキパン
１２ａ  インキパンの底面
１３    インキパンの本体部
１４    インキパンの排出部
１５    インキパンの堰
１５ａ  堰の上端
１７    ファニッシャーロールの外周
１７ａ  中央環状溝
１８    ファニッシャーロールの側面
２１    側方スキージ
２１ａ  側方スキージの本体部
２１ｂ  側方スキージの固定部
２１ｃ  側方スキージの当接部
２２    ボルト
２４    中央スキージ
２４ａ  中央スキージの本体部
２４ｂ  中央スキージの固定部
２４ｃ  中央スキージの突出部
２５    ボルト
３０    インキ
３０ａ  本体部におけるインキの液面
３０ｂ  排出部におけるインキの液面
３１    供給管
３１ａ  供給管の出口部分
３２    排出管
３３    印刷版胴
４０    塗布装置
４１    被印刷物
４２    搬送ローラー
４３    インキ塗布手段
４４    インキタンク
４５    ゴミ取りフィルター
【図１】
0005556110.tif 000002
【図２】
0005556110.tif 000003
【図３】
0005556110.tif 000004
【図４】
0005556110.tif 000005
【図５】
0005556110.tif 000006
【図６】
0005556110.tif 000007
【図７】
0005556110.tif 000008
【図８】
0005556110.tif 000009
【図９】
0005556110.tif 000010